(57)【要約】【課題】フロントドアの開閉状態にかかわらず、筐体との位置関係が精度良く規制された、フロントドアおよびそれを用いたディスク記録再生装置を提供すること。【解決手段】軸部はその少なくとも一方の端に、軸部に軸受腕部を嵌合した状態において、軸受腕部が軸部の平行方向に動くことを規制する位置決め部を備えており、軸受腕部は、前記軸受部と嵌合した状態で軸部と平行となる方向の厚みが、前記ドア部との接合部と先端部とで比較した場合に、前記先端部の方が厚みが小さい場合において、位置決め部は、蓋部を閉じた状態において軸受腕部と対向する面の軸部の中心より蓋部側の厚みが、軸部の中心から外側の方向に向けて小さくなり、且つ、蓋部を開いた状態において軸受腕部と対向する面の軸部の中心より蓋部側の厚みが、軸部の中心から外側の方向に向けて小さくなる。【選択図】図１３
2011134378.tif 000002
【特許請求の範囲】
【請求項１】
軸部を備えた筐体と、
ドア部と前記ドア部と一体に成型され前記軸部と嵌合可能な軸受腕部とからなり、前記軸受腕部が前記軸部に嵌合した状態で、前記軸部を中心に回転させることにより開閉可能な蓋部と、
を備えた開閉装置であって、
前記軸部はその少なくとも一方の端に、前記軸部に前記軸受腕部を嵌合した状態において、前記軸受腕部が前記軸部の平行方向に動くことを規制する位置決め部を備えており、
前記軸受腕部は、     
前記軸受部と嵌合した状態で前記軸部と平行となる方向の厚みが、前記ドア部との接合部と先端部とで比較した場合に、前記先端部の方が厚みが小さい場合において、
前記位置決め部は、
前記蓋部を閉じた状態において前記軸受腕部と対向する面の前記軸部の中心より前記蓋部側の厚みが、前記軸部の中心から外側の方向に向けて小さくなり、
且つ、
前記蓋部を開いた状態において前記軸受腕部と対向する面の前記軸部の中心より前記蓋部側の厚みが、前記軸部の中心から外側の方向に向けて小さくなる、
開閉装置。
【請求項２】
前記蓋部が閉じた状態、及び、前記蓋部が開いた状態において、
前記軸受腕部と、前記位置決め部は、略密着状態であることを特徴とする、請求項１に記載の開閉装置。
【請求項３】
前記位置決め部は、
その厚みが前記軸部の中心から外側に向けて、放射状に小さくなる、請求項１に記載の開閉装置。
【請求項４】
前記蓋部が閉じた状態から開いた状態に移動する場合に、
前記軸受腕部と、前記位置決め部は、略密着状態を維持することを特徴とする、請求項３に記載の開閉装置。
【発明の詳細な説明】
【技術分野】
【０００１】
本発明は、ディスク記録再生装置に関し、特に、フロント部に開閉蓋を有するディスク記録再生装置の開閉蓋の位置決めに関する。
【背景技術】
【０００２】
従来、開閉蓋の軸部において開閉蓋の動きをスムーズにしつつ部品点数を削減するために、軸用足部に軸受け部の開口端部と接触する球形状の接触軸を有したものが知られている（特に、特許文献１参照）。
【０００３】
ところで、従来のディスク記録再生装置の開閉自在なフロントドアの軸部の構造について図１〜図６、図１５に基づいて説明する。図１は、ディスク記録再生装置の筐体１０１と、筐体１０１に設けられた開閉自在なフロントドア１０２の外観斜視図である。図２は、フロントドア１０２が開いた状態を示す外観斜視図である。図２は、開閉自在なフロントドア１０２が開いた状態を示す。ディスク記録再生装置に備え付けられたフロントドア１０２は、図１及び図２のように開閉自在である。図３は、筐体１０１とフロントドア１０２との嵌合部の拡大した外観斜視図である。フロントドア１０２は、軸受腕部１０５を備える。図１５は、フロントドア１０２に備えられた軸受腕部１０５の形状を示した外観斜視図である。図４は、従来の開閉装置の軸部の正面図である。軸受腕部１０５は、図４に示す筐体に設けられた軸部１０３と嵌合する。図４に示す軸部１０３は、端部に位置決め部１０４を有している。図５は、従来の開閉装置の軸部の断面図である。位置決め部１０４は、金型構造を簡単にするために、図５に示すように金型抜き方向に勾配を有している。図６は、従来の開閉装置の軸受け部の断面図である。軸受腕部１０５は、図６に示すように、軸部１０３と嵌合し、位置決め部１０４によって左右方向の位置決めが行われる。このように、軸受腕部１０５を位置決め部１０４で規制することにより、筐体１０１に対してフロントドア１０２の左右位置の位置決めを行うことができる。
【先行技術文献】
【特許文献】
【０００４】
【特許文献１】特開２００１−１０２７７２号公報
【発明の概要】
【発明が解決しようとする課題】
【０００５】
しかしながら、図６に示すようにフロントドアを閉じた状態で軸受腕部１０５と位置決め部１０４の位置決めをおこなう以下の課題が発生する。図７は、従来の開閉装置の軸受け部においてフロントドアを開いた場合の正面図である。フロントドアを開いたとき図７に示すように軸受腕部１０５と位置決め部１０４が、干渉するという問題があった。図８は、従来の開閉装置の軸受け部においてフロントドアを開いた場合の断面図である。図８において、軸受腕部１０５と位置決め部１０４とは干渉している。
【０００６】
また、図９は、従来の開閉装置の軸受け部においてフロントドアを閉めた場合の正面図である。図１０は、従来の開閉装置の軸受け部においてフロントドアを閉めた場合の断面図である。図９においては、フロントドアが開いたときの干渉を回避している。つまり、位置決め部１０４と軸受腕部１０５とが干渉していない。しかし、この場合、図１０に示すようにフロントドアを閉じたときに軸受腕部１０５と位置決め部１０７の間に隙間が生じ、左右の位置決めをなさなくなるという問題があった。そのため、筐体とフロントドアの位置関係を精度良く構成することが困難であった。
【０００７】
そこで、本発明の目的は、上記の問題を解決すべく、フロントドアの開閉状態にかかわらず、筐体との位置関係が精度良く規制された、フロントドアおよびそれを用いたディスク記録再生装置を提供することを目的とする。
【課題を解決するための手段】
【０００８】
上記目的を達成するために、本発明の開閉装置は、軸部１０３を備えた筐体１０１と、ドア部１０２とドア部１０２と一体に成型され軸部１０３と嵌合可能な軸受腕部１０５とからなり、軸受腕部１０５が軸部１０３に嵌合した状態で、軸部１０３を中心に回転させることにより開閉可能な蓋部と、を備えた開閉装置であって、軸部１０３はその少なくとも一方の端に、軸部１０３に軸受腕部１０５を嵌合した状態において、軸受腕部１０５が軸部１０３の平行方向に動くことを規制する位置決め部１０４を備えており、軸受腕部１０５は、前記軸受部と嵌合した状態で軸部１０３と平行となる方向の厚みが、前記ドア部との接合部と先端部とで比較した場合に、前記先端部の方が厚みが小さい場合において、位置決め部１０４は、蓋部を閉じた状態において軸受腕部１０５と対向する面の軸部１０３の中心より蓋部側の厚みが、軸部１０３の中心から外側の方向に向けて小さくなり、且つ、蓋部を開いた状態において軸受腕部１０５と対向する面の軸部１０３の中心より蓋部側の厚みが、軸部１０３の中心から外側の方向に向けて小さくなる。
【０００９】
このため、蓋部を開いた状態であっても閉じた状態であっても、その蓋部のがたつきをより少なくすることができる。
【発明の効果】
【００１０】
上記の構成によれば、フロントドアの開閉動作時に、筐体との位置関係が精度良く規制され、耐久性の高いフロントドアおよびそれを用いたディスク記録再生装置を提供できる。
【図面の簡単な説明】
【００１１】
【図１】筐体１０１と、筐体１０１に設けられた開閉自在なフロントドア１０２の外観斜視図
【図２】フロントドア１０２が開いた状態を示す外観斜視図
【図３】筐体１０１とフロントドア１０２との嵌合部の拡大した外観斜視図
【図４】従来の開閉装置の軸部の正面図
【図５】従来の開閉装置の軸部の断面図
【図６】従来の開閉装置の軸受け部の断面図
【図７】従来の開閉装置の軸受け部においてフロントドアを開いた場合の正面図
【図８】従来の開閉装置の軸受け部においてフロントドアを開いた場合の断面図
【図９】従来の開閉装置の軸受け部においてフロントドアを閉めた場合の正面図
【図１０】従来の開閉装置の軸受け部においてフロントドアを閉めた場合の断面図
【図１１】本実施の形態における開閉装置の軸受け部の平面図
【図１２】本実施の形態における開閉装置の軸受け部の断面図
【図１３】本実施の形態の開閉装置の軸受け部においてフロントドアを閉じた場合の正面断面図
【図１４】本実施の形態の開閉装置の軸受け部においてフロントドアを閉じた場合の正面図
【図１５】軸受腕部の外観斜視図
【発明を実施するための形態】
【００１２】
（実施の形態１）
［１．フロントドアの構成］
図１にディスク再生装置の筐体１０１と開閉自在なフロントドア１０２の外観斜視図を示す。図２は、フロントドア１０２が開いた状態を示す外観斜視図である。図２は、開閉自在なフロントドア１０２が開いた状態を示すものである。ディスク記録再生装置に備え付けられたフロントドア１０２は、図１及び図２のように開閉自在である。図３は、筐体１０１とフロントドア１０２との嵌合部の拡大した外観斜視図である。図３は、筐体１０１とフロントドア１０２との嵌合部の拡大した外観斜視図である。図３に示すように、フロントドア１０２は、軸受腕部１０５を備えている。図１５は、フロントドア１０２に備えられた軸受腕部１０５の形状を示す外観斜視図である。フロントドア１０２に一体に成型された軸受腕部１０５は、筐体１０１にもうけられた軸部１０３に嵌合する。また、軸受腕部１０５が軸部１０３に嵌合した状態で、軸部１０３を中心に回転させることにより開閉可能である。このとき、軸部１０３の両端に設けられた位置決め部１０４と、軸受腕部１０５の隙間で、筐体１０１に対するフロントドア１０２の左右位置が決まる。つまり、軸部１０３はその両端に、軸部１０３に軸受腕部１０５を嵌合した状態において、位置決め部１０４は軸受腕部１０５が軸部１０３の平行方向に動くことを規制する。
【００１３】
なお、本実施の形態では、位置決め部１０４は軸部１０３の両端に備えるとしているが、どちらか一方の端に備えていればよい。
【００１４】
［２．軸受け部の構成］
図１１は本発明の位置決め部１０４の形状の正面図である。また、図１２は本発明の位置決め部１０４の平面の断面図である。図１１に示すように、筐体１０１は軸部１０３を備えている。位置決め部１０４の端面は、全周にわたり、軸受腕部１０５の勾配と平行に、傘状の勾配を備えている。つまり、軸部１０３の中心から外側の方向に向けて放射状に厚みが小さくなる。
【００１５】
［３．フロントドアの位置決め］
図１３は、フロントドア１０２が閉じた状態の位置決め部１０４と、軸受腕部１０５の関係を示した図である。また軸受腕部１０５は、フロントドア１０２との接合部と先端部とで比較した場合に、先端部の方が厚みが小さい。また、フロントドア１０２の筐体１０１に対する位置精度を確保するため、位置決め部１０４と軸受腕部１０５の隙間を図１０に示す従来例より小さくした状態になっている。
【００１６】
［４．フロントドアの開閉］
図１４は、フロントドア１０２を開いたときの位置決め部１０４と軸受腕部１０５の関係を示した図である。図からも明らかなように、フロントドアを開いた状態においても、位置決め部１０４と軸受腕部１０５の隙間が、図１３で示した、フロントドア１０２を閉じた状態と同じように確保できる。また、位置決め部の勾配は傘状に設けられているため、フロントドア１０２の開閉動作のどの角度においても、位置決め部１０４と軸受腕部１０５の隙間は変化しない。すなわち、フロントドアの開閉動作のどの角度においても筐体１０１に対するフロントドア１０２の左右位置が規制されている。
【００１７】
また、位置決め部１０４と軸受腕部１０５の嵌合は図１３に示すように平面によって行われる。すなわち、位置決め部１０４と軸受腕部１０５は、面接触となるため、開閉動作時の摺動磨耗をより抑制することができる。これにより、フロントドアの開閉動作のどの角度においても、筐体との位置関係が精度良く規制され、より耐久性の高いフロントドアおよびそれを用いたディスク記録再生装置を提供できる。
【００１８】
なお、本実施の形態では、位置決め部１０４の端面は、全周にわたり、軸受腕部１０５の勾配と平行に、傘状の勾配を持つ。しかし、フロントドア１０２を閉じた状態とフロントドア１０２を開いた状態とで、軸受腕部１０５と対向する面の軸部１０３の中心より蓋部側の厚みが、軸部１０３の中心から外側の方向に向けて小さくなれば良い。
【００１９】
また、その場合、フロントドア１０２を閉じた状態とフロントドア１０２を開いた状態とで、位置決め部１０４と軸受腕部１０５は略密着状態である。
【００２０】
また、位置決め部１０４の端面が、全周にわたり、軸受腕部１０５の勾配と平行に、傘状の勾配を持つ場合には、フロントドア１０２を閉じた状態から開いた状態に移動する場合に、軸受腕部１０５と、位置決め部１０４は、略密着状態を維持する。
【００２１】
［５．まとめ］
軸部１０３を備えた筐体１０１と、ドア部１０２とドア部１０２と一体に成型され軸部１０３と嵌合可能な軸受腕部１０５とからなり、軸受腕部１０５が軸部１０３に嵌合した状態で、軸部１０３を中心に回転させることにより開閉可能な蓋部と、を備えた開閉装置であって、軸部１０３はその少なくとも一方の端に、軸部１０３に軸受腕部１０５を嵌合した状態において、軸受腕部１０５が軸部１０３の平行方向に動くことを規制する位置決め部１０４を備えており、軸受腕部１０５は、前記軸受部と嵌合した状態で軸部１０３と平行となる方向の厚みが、前記ドア部との接合部と先端部とで比較した場合に、前記先端部の方が厚みが小さい場合において、位置決め部１０４は、蓋部を閉じた状態において軸受腕部１０５と対向する面の軸部１０３の中心より蓋部側の厚みが、軸部１０３の中心から外側の方向に向けて小さくなり、且つ、蓋部を開いた状態において軸受腕部１０５と対向する面の軸部１０３の中心より蓋部側の厚みが、軸部１０３の中心から外側の方向に向けて小さくなる。
【産業上の利用可能性】
【００２２】
本発明は、電子機器の開閉機構に関し、特に、その蓋部のがたつきが少ない電子機器を提供することができる。そのため、本発明は、記録再生装置などに適用できる。
【符号の説明】
【００２３】
１０１    筐体
１０２    ドア部
１０３    軸部
１０４    位置決め部
１０５    軸受腕部
【図１】
2011134378.tif 000003
【図２】
2011134378.tif 000004
【図３】
2011134378.tif 000005
【図４】
2011134378.tif 000006
【図５】
2011134378.tif 000007
【図６】
2011134378.tif 000008
【図７】
2011134378.tif 000009
【図８】
2011134378.tif 000010
【図９】
2011134378.tif 000011
【図１０】
2011134378.tif 000012
【図１１】
2011134378.tif 000013
【図１２】
2011134378.tif 000014
【図１３】
2011134378.tif 000015
【図１４】
2011134378.tif 000016
【図１５】
2011134378.tif 000017